(57)【要約】【課題】外装カバーの数、及び基板の枚数を削減しても、電子機器の組立性を向上させつつ、操作ボタンの良好な操作性を確保することができる仕組みを提供する。【解決手段】電子機器は、背面カバー２０１の上面部に取り付けられ、押し軸２１１ｂを有する操作ボタン２１１と、内装部材３０１のシャーシ３４１に固定された基板３１１に実装され、押し軸２１１ｂにより押し操作されるスイッチ３２１と、押し軸２１１ｂを軸方向に移動可能に保持する筒部２１３ａを有するパッキン２１３とを備える。押し軸２１１ｂは、背面カバー２０１に内装部材３０１を組み付ける前においては、背面カバー２０１から内装部材３０１が配置される側に突出しない位置で筒部２１３ａに保持される。そして、背面カバー２０１に内装部材３０１を組み付けた後、操作ボタン２１１を押し込むことで、押し軸２１１ｂの先端２１５が背面カバー２０１の挿通穴２０２から内装部材３０１が配置される側に突出した位置で操作ボタン２１１が位置決めされる。【選択図】図３
2012128347.tif 000002
【特許請求の範囲】
【請求項１】
機器本体の外装を形成する複数の外装カバーと、
前記外装カバーに取り付けられ、押し軸を有する操作ボタンと、
前記機器本体の内部に配置され、前記操作ボタンが取り付けられた前記外装カバーに組み付けられる内装部材と、
前記内装部材に取り付けられる基板に実装され、前記操作ボタンの前記押し軸により押し操作されるスイッチと、
前記押し軸を軸方向に移動可能に保持する保持部材と、
前記押し軸の先端が前記外装カバーから前記内装部材が配置される側に突出した第一位置で前記操作ボタンを位置決めする位置決め手段と、を備え、
前記操作ボタンの前記押し軸は、前記外装カバーに前記内装部材を組み付ける前においては、前記外装カバーから前記内装部材が配置される側に前記第一位置より突出しない第二位置で前記保持部材に保持されることを特徴とする電子機器。
【請求項２】
前記操作ボタンが前記位置決め手段により位置決めされる位置への前記押し軸の移動を規制する規制部材と、
前記内装部材に設けられ、前記内装部材を前記外装カバーに組み付ける際に、前記規制部材による前記押し軸の移動の規制を解除する解除部と、を備えることを特徴とする請求項１に記載の電子機器。
【請求項３】
前記操作ボタンが前記位置決め手段により位置決めされる位置への前記押し軸の移動を規制する規制部材と、
前記操作ボタンが取り付けられる前記外装カバーに組み付けられる他の外装カバーに設けられ、前記内装部材を前記外装カバーに組み付けた後、前記他の外装カバーを前記外装カバーに組み付ける際に、前記規制部材による前記押し軸の移動の規制を解除する解除部と、を備えることを特徴とする請求項１に記載の電子機器。
【請求項４】
前記保持部材は、パッキンであることを特徴とする請求項１乃至３のいずれか一項に記載の電子機器。
【請求項５】
前記保持部材は、前記操作ボタンの前記押し軸が前記外装カバーから前記内装部材が配置される側に突出する位置と突出しない位置とで前記押し軸の保持状態が変化しないように前記押し軸を保持することを特徴とする請求項１乃至４のいずれか一項に記載の電子機器。
【発明の詳細な説明】
【技術分野】
【０００１】
本発明は、例えばデジタルカメラ等の電子機器に関する。
【背景技術】
【０００２】
デジタルカメラ等の電子機器では、上面カバーに取り付けていたレリーズボタン等の操作ボタンを正面カバー又は背面カバーの上面部に取り付けることで、外装カバーの数を削減して低コスト化を図るようにしたものがある。また、複数のカバーごとに取り付けていた操作ボタン用のスイッチ実装基板をシャーシ部材等の内装部材に取り付けることで、基板枚数を削減して低コスト化を図るようにしたものがある。
【０００３】
例えば、レリーズボタンを正面カバーの上面部に取り付け、レリーズボタンの押し軸により押し操作されるレリーズスイッチをシャーシ部材に固定された基板に実装したものが提案されている（特許文献１）。
【先行技術文献】
【特許文献】
【０００４】
【特許文献１】特開２００１−２１５５９３号公報
【発明の概要】
【発明が解決しようとする課題】
【０００５】
しかし、上記特許文献１では、内装部材に対して正面カバーの組み込みを行う際、正面カバーに取り付けたレリーズボタンの押し軸先端と基板に実装したレリーズスイッチとの距離が近いため、誤ってレリーズスイッチに押し軸先端が干渉する可能性がある。この場合、レリーズボタンの押し軸先端とレリーズスイッチとのクリアランスを大きくすることで、組立性の向上を図ることは可能であるが、押し軸先端でレリーズスイッチを押し操作するまでのストロークが増えてしまい、操作性が低下してしまう。
【０００６】
そこで、本発明は、外装カバーの数、及び基板の枚数を削減しても、組立性を向上させつつ、操作ボタンの良好な操作性を確保することができる電子機器を提供することを目的とする。
【課題を解決するための手段】
【０００７】
上記目的を達成するために、本発明の電子機器は、機器本体の外装を形成する複数の外装カバーと、前記外装カバーに取り付けられ、押し軸を有する操作ボタンと、前記機器本体の内部に配置され、前記操作ボタンが取り付けられた前記外装カバーに組み付けられる内装部材と、前記内装部材に取り付けられる基板に実装され、前記操作ボタンの前記押し軸により押し操作されるスイッチと、前記押し軸を軸方向に移動可能に保持する保持部材と、前記押し軸の先端が前記外装カバーから前記内装部材が配置される側に突出した第一位置で前記操作ボタンを位置決めする位置決め手段と、を備え、前記操作ボタンの前記押し軸は、前記外装カバーに前記内装部材を組み付ける前においては、前記外装カバーから前記内装部材が配置される側に前記第一位置より突出しない第二位置で前記保持部材に保持されることを特徴とする。
【発明の効果】
【０００８】
本発明によれば、外装カバーの数、及び基板の枚数を削減しても、電子機器の組立性を向上させつつ、操作ボタンの良好な操作性を確保することができる。
【図面の簡単な説明】
【０００９】
【図１】本発明の電子機器の第１の実施形態であるデジタルカメラを正面側から見た斜視図である。
【図２】図１に示すデジタルカメラを背面側から見た斜視図である。
【図３】背面カバーの上面部にレリーズボタン及び電源ボタンが仮保持された状態を示す断面図である。
【図４】図３の状態からレリーズボタン及び電源ボタンを押し込んだ状態を示す断面図である。
【図５】本発明の電子機器の第２の実施形態であるデジタルカメラにおいて、背面カバーの上面部にレリーズボタン及び電源ボタンが仮保持された状態を示す斜視図である。
【図６】図５に示す背面カバーのレリーズボタン及び電源ボタンの軸方向に沿う断面図である。
【図７】シャーシに形成した立ち曲げ部によりストッパ部材をカメラ本体の背面側に向けて押し込んで挿通穴から退避させる動作を説明するための断面図である。
【図８】シャーシに形成した立ち曲げ部によりストッパ部材をカメラ本体の背面側に向けて押し込んで挿通穴から退避させる動作を説明するための断面図である。
【図９】シャーシに形成した立ち曲げ部によりストッパ部材をカメラ本体の背面側に向けて押し込んで挿通穴から退避させる動作を説明するための断面図である。
【図１０】本発明の電子機器の第３の実施形態であるデジタルカメラにおいて、正面カバーの一部を内面側から見た斜視図である。
【発明を実施するための形態】
【００１０】
以下、本発明の実施形態を図面を参照して説明する。
【００１１】
（第１の実施形態）
図１は本発明の電子機器の第１の実施形態であるデジタルカメラを正面側から見た斜視図、図２は図１に示すデジタルカメラを背面側から見た斜視図である。
【００１２】
図１及び図２に示すように、本実施形態のデジタルカメラは、正面カバー１０１と背面カバー２０１とによりカメラ本体の外装を形成している。カメラ本体の内部には、不図示のレンズ鏡筒、シャーシ、撮像素子、制御回路、電池室、及びストロボユニット等の内装部材３０１（図３及び図４参照）が内蔵されている。ここで、カメラ本体は、本発明の機器本体の一例に相当する。
【００１３】
正面カバー１０１には、レンズ鏡筒を保護する保護レンズ１１１、マイクの通気孔１２１、ＡＦ補助光窓１３１、ストロボ光窓１４１、及び意匠カバー１５１が取り付けられている。
【００１４】
背面カバー２０１の上面部には、レリーズボタン２１１、及び電源ボタン２２１が背面カバー２０１にビス等により固定されたホルダ２６１を介して取り付けられている。ここで、レリーズボタン２１１、及び電源ボタン２２１は、本発明の操作ボタンの一例に相当する。
【００１５】
背面カバー２０１の４つの角部には、ストラップ取付部２５１（下側の２つの角部は不図示）が設けられているに。また、背面カバー２０１の中央部には、液晶表示部２４１が取り付けられており、その上部に撮影／再生切り替えボタン２３１、モード選択ボタン２３２とが取り付けられている。
【００１６】
ここで、本実施形態では、背面カバー２０１に上述した内装部材３０１を組み込んだ後、正面カバー１０１に設けられた不図示の溝に背面カバー２０１に設けられた不図示のリブを不図示のパッキンを介して嵌め込む。そして、この状態で正面カバー１０１と背面カバー２０１とをビス等により締結することで、デジタルカメラの外装に防水／防塵性能を持たせている。
【００１７】
図３は、背面カバー２０１の上面部にレリーズボタン２１１及び電源ボタン２２１が仮保持された状態を示す断面図である。
【００１８】
図３に示すように、レリーズボタン２１１は、キートップ２１１ａ及び押し軸２１１ｂを有し、キートップ２１１ａには、装飾用のキャップ２１２が嵌め込まれている。押し軸２１１ｂには、先端面からキートップ２１１ａ側に向けてスリット２１６が形成されており、また、押し軸２１１ｂの先端２１５には、径方向外側に突出する係止突起２１７が設けられている。
【００１９】
図３の状態では、レリーズボタン２１１の押し軸２１１ｂは、ホルダ２６１と背面カバー２０１との間に保持されたパッキン２１３の筒部２１３ａの穴に圧入された状態で、その先端２１５が背面カバー２０１に形成された挿通穴２０２を臨む位置に配置される。なお、押し軸２１１ｂの係止突起２１７を含めた先端２１５の径は、挿通穴２０２の径より大径とされている。
【００２０】
また、レリーズボタン２１１のキートップ２１１ａの外周部に設けられたフランジ部２１４がホルダ２６１に当接することで、押し軸２１１ｂの筒部２１３ａの穴からの抜け止めがなされる。
【００２１】
このとき、パッキン２１３は、押し軸２１１ｂをキートップ２１１ａ側に付勢しており、また、筒部２１３ａの穴は、押し軸２１１ｂに弾性的に密着した状態で押し軸２１１ｂを軸方向に移動可能に保持している。これにより、レリーズボタン２１１に防水／防塵性能を持たせている。
【００２２】
一方、電源ボタン２２１も同様に、キートップ２２１ａ及び押し軸２２１ｂを有し、キートップ２２１ａには、装飾用のキャップ２２２が嵌め込まれている。押し軸２２１ｂには、先端面からキートップ２２１ａ側に向けてスリット２２６が形成されており、また、押し軸２２１ｂの先端２２５には、径方向外側に突出する係止突起２２７が設けられている。
【００２３】
そして、図３の状態では、電源ボタン２２１の押し軸２２１ｂは、ホルダ２６１と背面カバー２０１との間に保持されたパッキン２２３の筒部２２３ａの穴に圧入された状態で、その先端２２５が背面カバー２０１に形成された挿通穴２０３を臨む仮保持位置に配置される。なお、押し軸２２１ｂの係止突起２２７を含めた先端２２５の径は、挿通穴２０３の径より大径とされている。
【００２４】
また、電源ボタン２２１のキートップ２２１ａの外周部に設けられたフランジ部２２４がホルダ２６１に当接することで、押し軸２２１ｂの筒部２２３ａの穴からの抜け止めがなされる。
【００２５】
このとき、パッキン２２３は、押し軸２２１ｂをキートップ２２１ａ側に付勢しており、また、筒部２２３ａの穴は、押し軸２２１ｂに弾性的に密着した状態で押し軸２２１ｂを軸方向に移動可能に保持している。これにより、電源ボタン２２１に防水／防塵性能を持たせている。ここで、パッキン２１３，２２３は、本発明の保持部材の一例に相当する。
【００２６】
また、内装部材３０１のシャーシ３４１には、フレキシブルプリント基板３１１が固定され、フレキシブルプリント基板３１１には、レリーズスイッチ３２１及び電源スイッチ３３１が実装されている。
【００２７】
そして、レリーズボタン２１１及び電源ボタン２２１が仮保持された背面カバー２０１に対して内装部材３０１の組み込み作業を行う。
【００２８】
このとき、上述したように、レリーズボタン２１１の押し軸２１１ｂの先端２１５は、背面カバー２０１に形成された挿通穴２０２を臨む仮保持位置（第二位置）に配置されている。従って、レリーズボタン２１１の押し軸２１１ｂの先端２１５は、背面カバー２０１からレリーズスイッチ３２１側へは突出せず、押し軸２１１ｂの先端２１５とレリーズスイッチ３２１とのクリアランスＨ１は大きくなっている。
【００２９】
また、電源ボタン２２１の押し軸２２１ｂの先端２２５についても、同様に、背面カバー２０１に形成された挿通穴２０３を臨む仮保持位置（第二位置）に配置されている。従って、電源ボタン２２１の押し軸２２１ｂの先端２２５は、背面カバー２０１から電源スイッチ３３１側へは突出せず、押し軸２２１ｂの先端２２５と電源スイッチ３３１とのクリアランスＨ２は大きくなっている。
【００３０】
この為、背面カバー２０１に内装部材３０１を組み込む際に、レリーズボタン２１１の押し軸２１１ｂの先端２１５、及び電源ボタン２２１の押し軸２２１ｂの先端２２５がそれぞれレリーズスイッチ３２１、及び電源スイッチ３３１に干渉することはない。
【００３１】
そして、レリーズボタン２１１及び電源ボタン２２１が仮保持された状態の背面カバー２０１に対して内装部材３０１を組み込んだ後、図４に示すように、レリーズボタン２１１及び電源ボタン２２１を押し込む。
【００３２】
このときのレリーズボタン２１１の押し込み動作は、キートップ２１１ａと押し軸２１１ｂとの段差部２１１ｃがパッキン２１３の筒部２１３ａの上端に当接するまで行う。その際、押し軸２１１ｂの先端２１５は、スリット２１６により径方向内側に弾性変形しながら挿通穴２０２を挿通し、挿通後、径方向外側に弾性復帰する。
【００３３】
また、パッキン２１３は、レリーズボタン２１１の押し込み時に押し込み方向に弾性変形するが、押し軸２１１ｂの先端２１５が挿通穴２０２を挿通した後、押し込み動作を解除すると、筒部２１３ａで押し軸２１１ｂを保持した状態で弾性復帰する。このとき、押し軸２１１ｂの先端２１５の係止突起２１７が挿通穴２０２の段差に係止され、これにより、レリーズボタン２１１が完成位置（第一位置）に位置決めされ、押し軸２１１ｂの先端２１５がレリーズスイッチ３２１に近接配置される。
【００３４】
電源ボタン２２１の押し込み動作についても、同様に、キートップ２２１ａと押し軸２２１ｂとの段差部２２１ｃがパッキン２２３の筒部２２３ａの上端に当接するまで行う。その際、押し軸２２１ｂの先端２２５は、スリット２２６により径方向内側に弾性変形しながら挿通穴２０３を挿通し、挿通後、径方向外側に弾性復帰する。
【００３５】
また、パッキン２２３は、電源ボタン２２１の押し込み時に押し込み方向に弾性変形するが、押し軸２２１ｂの先端２２５が挿通穴２０３を挿通した後、押し込み動作を解除すると、筒部２２３ａで押し軸２２１ｂを保持した状態で弾性復帰する。このとき、押し軸２２１ｂの先端２２５の係止突起２２７が背面カバー２０１の裏面に係止され、これにより、電源ボタン２２１が完成位置（第一位置）に位置決めされ、押し軸２２１ｂの先端２２５が電源スイッチ３３１に近接配置される。
【００３６】
そして、レリーズボタン２１１及び電源ボタン２２１を完成位置（第一位置）に位置決めした後、上述したように、背面カバー２０１に対して正面カバー１０１を組み込んで組立作業を完了する。
【００３７】
以上説明したように、本実施形態では、正面カバー１０１と背面カバー２０１とによりデジタルカメラの外装を形成して背面カバー２０１の上面部にボタン２１１，２２１を取り付けている。また、内装部材３０１のシャーシ３４１に固定したフレキシブルプリント基板３１１に、ボタン２１１，２２１により押し操作されるスイッチ３２１，３３１を実装している。これにより、外装カバーの数、及び基板の枚数を削減することができ、デジタルカメラの低コスト化を図ることができる。
【００３８】
また、本実施形態では、ボタン２１１，２２１が仮保持された背面カバー２０１に対して内装部材３０１を組み込む際に、ボタン２１１，２２１の押し軸２１１ｂ，２２１ｂの先端２１５，２２５がスイッチ３２１，３３１に干渉しないようになっている。このため、デジタルカメラの組立性の向上を図ることができる。
【００３９】
更に、本実施形態では、ボタン２１１，２２１が仮保持された背面カバー２０１に内装部材３０１を組み込んだ後、ボタン２１１，２２１を押し込むことで、押し軸２１１ｂ，２２１ｂの先端２１５，２２５がそれぞれスイッチ３２１，３３１に近接配置される。このため、ボタン２１１，２２１の適正な操作ストロークを得ることができ、良好な操作性を確保することができる。
【００４０】
更に、本実施形態では、パッキン２１３の筒部２１３ａによるボタン２１１の押し軸２１１ｂの保持状態は、背面カバー２０１にボタン２１１が仮保持された状態（図３）とボタン２１１が正規位置に位置決めされた状態（図４）とで変化しないようになっている。同様に、パッキン２２３の筒部２２３ａによるボタン２２１の押し軸２２１ｂの保持状態も、背面カバー２０１にボタン２２１が仮保持された状態（図３）とボタン２２１が正規位置に位置決めされた状態（図４）とで変化しないようになっている。このため、背面カバー２０１に内装部材３０１を組み込む前に、背面カバー２０１のボタン２１１，２２１部分の防水、防塵試験を行うことが可能となる。
【００４１】
（第２の実施形態）
次に、図５〜図９を参照して、本発明の電子機器の第２の実施形態であるデジタルカメラについて説明する。なお、上記第１の実施形態に対して重複又は相当する部分については、各図に同一符号を付してその説明を省略する。
【００４２】
図５は背面カバー２０１の上面部にレリーズボタン２１１及び電源ボタン２２１が仮保持された状態を示す斜視図、図６は図５に示す背面カバー２０１のボタン２１１，２２１の軸方向に沿う断面図である。
【００４３】
本実施形態では、図５及び図６に示すように、背面カバー２０１の上面部の裏面側の挿通穴２０２，２０３に対向する位置に、それぞれ規制部材２７１が配置されている。規制部材２７１は、コイルばね２７２によりカメラ本体の正面側に付勢された状態で、カメラ本体の厚さ方向に移動可能とされている。
【００４４】
そして、ボタン２１１，２２１が仮保持された状態の背面カバー２０１に対して内装部材３０１を組み込む前に作業者が誤ってボタン２１１，２２１を押し込むと、規制部材２７１により押し軸２１１ｂ，２２１ｂの移動が規制される。
【００４５】
このため、背面カバー２０１に対して内装部材３０１を組み込む前に作業者が誤ってボタン２１１，２２１を押し込み操作しても、押し軸２１１ｂ，２２１ｂの係止突起２１７，２２７が挿通穴２０２，２０３を挿通して背面カバー２０１に係止されることはない。
【００４６】
また、背面カバー２０１に対して内装部材３０１を組み込む際には、図７〜図９に示すように、内装部材３０１のシャーシ３４１に形成した立ち曲げ部３４１ａにより規制部材２７１をコイルばね２７２の付勢力に抗してカメラ本体の背面側に向けて押し込む。
【００４７】
これにより、規制部材２７１を挿通穴２０２，２０３から退避させることができ、上記第１の実施形態と同様に、ボタン２１１，２２１の押し込み動作を行うことができる。ここで、立ち曲げ部３４１ａは、本発明の解除部の一例に相当する。その他の構成、及び作用効果は、上記第１の実施形態と同様である。
【００４８】
（第３の実施形態）
次に、図１０を参照して、本発明の電子機器の第３の実施形態であるデジタルカメラについて説明する。なお、上記第１及び第２の実施形態に対して重複又は相当する部分については、図及び符号を流用して説明する。
【００４９】
図１０は、正面カバー１０１の一部を内面側から見た斜視図である。図１０に示すように、正面カバー１０１の内面側には、図５及び図６に示す規制部材２７１をコイルばね２７２の付勢力に抗してカメラ本体の背面側に向けて押し込むための複数のリブ１０２が形成されている。
【００５０】
即ち、本実施形態では、内装部材３０１が組み込まれた背面カバー２０１に対して正面カバー１０１を組み込む際に、リブ１０２により規制部材２７１をコイルばね２７２の付勢力に抗してカメラ本体の背面側に向けて押し込む。
【００５１】
これにより、規制部材２７１を挿通穴２０２，２０３から退避させることができ、上記第１の実施形態と同様に、ボタン２１１，２２１の押し込み動作を行うことができる。ここで、正面カバーは、本発明の他の外装カバーの一例に相当し、リブ１０２は、本発明の解除部の一例に相当する。その他の構成、及び作用効果は、上記第１及び第２の実施形態と同様である。
【００５２】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５３】
２０１  背面カバー
２１１  レリーズボタン
２１１ｂ，２２１ｂ  押し軸
２１３，２２３  パッキン
２２１  電源ボタン
３０１  内装部材
３１１  フレキシブルプリント基板
３２１  レリーズスイッチ
３３１  電源スイッチ
【図１】
2012128347.tif 000003
【図２】
2012128347.tif 000004
【図３】
2012128347.tif 000005
【図４】
2012128347.tif 000006
【図５】
2012128347.tif 000007
【図６】
2012128347.tif 000008
【図７】
2012128347.tif 000009
【図８】
2012128347.tif 000010
【図９】
2012128347.tif 000011
【図１０】
2012128347.tif 000012